(57)【要約】【課題】車載装置の表示エリアを有効活用しつつ、操作対象装置を直接操作する場合よりも遠隔操作の操作性を向上させること。【解決手段】配列情報取得部が、携帯端末装置における入力キーの配列情報を取得し、画像の表示および利用者による入力を受け付けるタッチパネルディスプレイについて、対応付け部が、配列情報に含まれる各入力キーとタッチパネルディスプレイ上の所定の領域との対応付けを行い、合成表示部が、携帯端末装置によって生成された表示画面と対応付け部によってタッチパネルディスプレイ上の所定の領域と対応付けられた各入力キーの配置画面とを重畳してタッチパネルディスプレイへ表示させ、変換部が、配列情報に基づいてタッチパネルディスプレイに対する入力を入力キーが押下された場合の出力信号または出力信号の組み合わせへ変換し、出力信号送信部が、変換された出力信号を携帯端末装置へ送信するように車載装置を構成する。【選択図】        図２
2010130369.tif 000002
【特許請求の範囲】
【請求項１】
携帯端末装置を遠隔操作する車載装置であって、
前記携帯端末装置における入力キーの配列情報を取得する配列情報取得手段と、
画像の表示および利用者による入力を受け付けるタッチパネルディスプレイを含んだ入出力手段と、
前記配列情報に含まれる各入力キーと前記タッチパネルディスプレイ上の所定の領域との対応付けを行う対応付け手段と、
前記対応付け手段によって前記タッチパネルディスプレイ上の所定の領域と対応付けられた前記各入力キーの配置画面を前記タッチパネルディスプレイへ表示させる合成表示手段と、
前記配列情報に基づいて前記タッチパネルディスプレイに対する入力を前記入力キーが押下された場合の出力信号または前記出力信号の組み合わせへ変換する変換手段と、
前記変換手段によって変換された前記出力信号を前記携帯端末装置へ送信する送信手段と
を備えたことを特徴とする車載装置。
【請求項２】
前記合成表示手段は、
前記タッチパネルディスプレイが所定の入力を受け付けた場合に、前記携帯端末装置が生成した表示画面と前記配置画面とを重畳することを特徴とする請求項１に記載の車載装置。
【請求項３】
前記入出力手段は、
利用者の操作を受け付けるハードスイッチをさらに備え、
前記対応付け手段は、
前記配列情報に含まれる各入力キーと前記ハードスイッチとの対応付けを行うことを特徴とする請求項１または２に記載の車載装置。
【請求項４】
前記対応付け手段は、
前記入力キーと前記ハードスイッチとの対応付けをあらわす対応付け画面を前記タッチパネルディスプレイへ表示させ、前記タッチパネルディスプレイが前記対応付けを変更する入力を受け付けた場合には、変更後の対応付けをあらたな対応付けとして用いることを特徴とする請求項３に記載の車載装置。
【請求項５】
前記変換手段は、
前記タッチパネルディスプレイに対する１つの入力を複数の前記入力キーに係る出力信号列へ変換することを特徴とする請求項１〜４のいずれか一つに記載の車載装置。
【請求項６】
前記変換手段は、
前記入力キーが上方向移動指示キー、下方向移動指示キー、左方向移動指示キーおよび右方向移動指示キーである場合に、前記タッチパネルディスプレイに対する１つの入力を、前記上方向移動指示キーまたは前記下方向移動指示キーと、前記左方向移動指示キーまたは前記右方向移動指示キーとのいずれかの組み合わせに係る前記出力信号列へ変換することを特徴とする請求項５に記載の車載装置。
【請求項７】
前記変換手段は、
前記出力信号列が、同一の前記入力キーに係る前記出力信号の連続する回数が最小となるように、前記出力信号列における前記出力信号の順序を調整することを特徴とする請求項６に記載の車載装置。
【請求項８】
車載装置が携帯端末装置を遠隔操作する遠隔操作システムであって、
前記車載装置は、
前記携帯端末装置における入力キーの配列情報を取得する配列情報取得手段と、
画像の表示および利用者による入力を受け付けるタッチパネルディスプレイを含んだ入出力手段と、
前記配列情報に含まれる各入力キーと前記タッチパネルディスプレイ上の所定の領域との対応付けを行う対応付け手段と、
前記対応付け手段によって前記タッチパネルディスプレイ上の所定の領域と対応付けられた前記各入力キーの配置画面を前記タッチパネルディスプレイへ表示させる合成表示手段と、
前記配列情報に基づいて前記タッチパネルディスプレイに対する入力を前記入力キーが押下された場合の出力信号または前記出力信号の組み合わせへ変換する変換手段と、
前記変換手段によって変換された前記出力信号を前記携帯端末装置へ送信する送信手段と
を備え、
前記携帯端末装置は、
前記配列情報を前記車載装置へ通知する通知手段と、
前記車載装置から受信した前記出力信号を前記携帯端末装置における前記入力キーが押下された場合の出力信号とみなして受け付ける遠隔入力手段と
を備えたことを特徴とする遠隔操作システム。
【発明の詳細な説明】
【技術分野】
【０００１】
この発明は、携帯端末装置を遠隔操作する車載装置および遠隔操作システムに関し、特に、車載装置の表示エリアを有効活用することができるとともに、携帯端末装置を直接操作する場合よりも操作性を向上させることができる車載装置および遠隔操作システムに関する。
【背景技術】
【０００２】
ＧＰＳ（Global  Positioning  System）を利用したカーナビゲーションシステムの普及に伴い、車両には、ナビゲーション機能を有する車載装置が搭載される場合が多くなってきた。また、車載装置の多機能化を求めるユーザニーズに応えるために、車載装置の多機能化も顕著となってきている。
【０００３】
たとえば、車載装置には、ナビゲーション機能に加えて、テレビ受信機能、ＣＤ（Compact  Disc）再生機能、ＤＶＤ（Digital  Versatile  Disk）再生機能などの多くの機能が盛り込まれることも多い。しかし、車載装置の多機能化は車載装置の高価格化を招くため、ユーザにとって好ましいものではない。
【０００４】
一方、携帯電話などの携帯端末装置は、低価格でありながら、ナビゲーション機能や音楽再生機能を有するものも普及してきている。また、ブルートゥース（登録商標）などの近距離無線通信機能を搭載する携帯端末装置も普及してきたことから、かかる近距離無線通信機能で携帯端末装置と車載装置とを無線通信によって接続することによって相互に情報通信（連携）させ、携帯端末装置側の機能を車載装置側で利用する取り組みもなされている。これにより、車載装置の低価格化を図ることが可能となる。
【０００５】
たとえば、特許文献１には、携帯端末装置の画面に表示される表示画面および携帯端末装置の入力キー配列を模した操作画面を車載装置へ送信し、車載装置のディスプレイに対して携帯端末装置で生成された表示画面および操作画面を並べて表示する技術が開示されている。
【０００６】
【特許文献１】特開２００３−２４４３４３号公報
【発明の開示】
【発明が解決しようとする課題】
【０００７】
しかしながら、特許文献１の技術を用いて携帯端末装置の遠隔操作を行う場合、車載装置のディスプレイには、携帯端末装置の入力キーを模した操作画面が常に表示されるため、車載装置のディスプレイを有効活用することができないという問題があった。
【０００８】
たとえば、携帯端末装置上で動作するナビゲーション用アプリケーションプログラム（以下、「ナビアプリ」と記載する）が生成した表示画面は、車載装置のディスプレイ全体に表示されるのではなく、操作画面で占有された領域以外の表示領域に表示される。
【０００９】
このため、携帯端末装置よりも大きな表示エリアを有する車載装置を用いた場合であっても、車載装置上で表示されるナビアプリ表示画面の表示サイズは十分な大きさとはならず、視認性の面で問題があった。
【００１０】
また、特許文献１の技術を用いた場合には、車載装置に表示される操作画面で携帯端末装置を遠隔操作する場合、操作画面上の仮想入力キーは、携帯端末装置上の入力キーと一対一に対応しているにすぎない。このため、遠隔操作の操作性は、直接操作の操作性と同一となり、携帯端末装を直接操作する場合の操作性を向上させているとはいえない。
【００１１】
これらのことから、車載装置を用いて携帯端末装置を遠隔操作する場合に、車載装置の表示エリアを有効活用することができるとともに、携帯端末装置を直接操作する場合よりも操作性を向上させることができる車載装置あるいは遠隔操作システムをいかにして実現するかが大きな課題となっている。なお、かかる課題は、遠隔操作対象となる装置が、携帯端末装置である場合に限らず、入力インタフェースを有する各種装置を遠隔操作する場合にも同様に発生する課題である。
【００１２】
本発明は、上述した従来技術による問題点を解消するためになされたものであり、携帯端末装置を遠隔操作する場合に、車載装置の表示エリアを有効活用することができるとともに、携帯端末装置を直接操作する場合よりも操作性を向上させることができる車載装置および遠隔操作システムを提供することを目的とする。
【課題を解決するための手段】
【００１３】
上述した課題を解決し、目的を達成するため、本発明は、携帯端末装置を遠隔操作する車載装置であって、前記携帯端末装置における入力キーの配列情報を取得する配列情報取得手段と、画像の表示および利用者による入力を受け付けるタッチパネルディスプレイを含んだ入出力手段と、前記配列情報に含まれる各入力キーと前記タッチパネルディスプレイ上の所定の領域との対応付けを行う対応付け手段と、前記対応付け手段によって前記タッチパネルディスプレイ上の所定の領域と対応付けられた前記各入力キーの配置画面を前記タッチパネルディスプレイへ表示させる合成表示手段と、前記配列情報に基づいて前記タッチパネルディスプレイに対する入力を前記入力キーが押下された場合の出力信号または前記出力信号の組み合わせへ変換する変換手段と、前記変換手段によって変換された前記出力信号を前記携帯端末装置へ送信する送信手段とを備えたことを特徴とする。
【００１４】
また、本発明は車載装置が携帯端末装置を遠隔操作する遠隔操作システムであって、前記車載装置は、前記携帯端末装置における入力キーの配列情報を取得する配列情報取得手段と、画像の表示および利用者による入力を受け付けるタッチパネルディスプレイを含んだ入出力手段と、前記配列情報に含まれる各入力キーと前記タッチパネルディスプレイ上の所定の領域との対応付けを行う対応付け手段と、前記対応付け手段によって前記タッチパネルディスプレイ上の所定の領域と対応付けられた前記各入力キーの配置画面を前記タッチパネルディスプレイへ表示させる合成表示手段と、前記配列情報に基づいて前記タッチパネルディスプレイに対する入力を前記入力キーが押下された場合の出力信号または前記出力信号の組み合わせへ変換する変換手段と、前記変換手段によって変換された前記出力信号を前記携帯端末装置へ送信する送信手段とを備え、前記携帯端末装置は、前記配列情報を前記車載装置へ通知する通知手段と、前記車載装置から受信した前記出力信号を前記携帯端末装置における前記入力キーが押下された場合の出力信号とみなして受け付ける遠隔入力手段とを備えたことを特徴とする。
【発明の効果】
【００１５】
本発明によれば、携帯端末装置における入力キーの配列情報を取得する配列情報取得手段と、画像の表示および利用者による入力を受け付けるタッチパネルディスプレイを含んだ入出力手段と、配列情報に含まれる各入力キーとタッチパネルディスプレイ上の所定の領域との対応付けを行う対応付け手段と、対応付け手段によってタッチパネルディスプレイ上の所定の領域と対応付けられた各入力キーの配置画面をタッチパネルディスプレイへ表示させる合成表示手段と、配列情報に基づいてタッチパネルディスプレイに対する入力を入力キーが押下された場合の出力信号または出力信号の組み合わせへ変換する変換手段と、変換手段によって変換された出力信号を携帯端末装置へ送信することとしたので、携帯端末装置に係る表示画面および操作画面を適宜重畳させて表示するとともに、操作画面に対する入力を複数の入力キーが押下された場合の出力信号の組み合わせへも変換することで、車載装置の表示エリアを有効活用することができるとともに、携帯端末装置を直接操作する場合よりも操作性を向上させることができるという効果を奏する。
【発明を実施するための最良の形態】
【００１６】
以下に添付図面を参照して、この発明に係る車載装置および遠隔操作システムの好適な実施例を詳細に説明する。なお、以下では、自動車に搭載されるＤＡ（Display  Audio）と呼ばれる車載装置とナビアプリなどのアプリを実行する携帯端末装置とが、近距離無線通信機能で連携し、かかる車載装置で携帯端末装置を遠隔操作する遠隔操作システムについて説明することとする。
【００１７】
ここで、ＤＡとは、表示機能やオーディオ再生機能、携帯端末装置との通信機能といった基礎的な機能のみを実装し、携帯端末装置と連携することで多機能化する車載装置のことを指す。なお、以下に示す実施例では、遠隔操作対象装置が携帯端末装置である場合について説明するが、入力インタフェースを有する各種装置を遠隔操作対象装置とすることもできる。
【実施例】
【００１８】
図１は、本実施例に係る遠隔操作システム１の概要を示す図である。なお、同図の（Ａ）には、遠隔操作システム１を構成する各装置について、同図の（Ｂ）には、遠隔操作システム１が実行する処理概要について、それぞれ示している。
【００１９】
図１の（Ａ）に示したように、遠隔操作システム１は、タッチパネルディスプレイ上に表示されるカスタマイズ可能な「仮想スイッチ」およびボタンやダイヤルといった「ハードスイッチ」を備えた車載装置１０と、乗車者が携帯する携帯電話などの携帯端末装置２０とから構成されている。ここで、車載装置１０と、携帯端末装置２０とはブルートゥース（登録商標）などの近距離無線通信で連携する。
【００２０】
そして、車載装置１０／携帯端末装置２０間の通信リンクが確立すると、図１の（Ｂ）に示したように、携帯端末装置２０は、入力キーの配列を含んだ入力キー配列情報を車載装置１０へ送信する（同図の（１ａ）参照）。
【００２１】
かかる入力キー配列情報を受信した車載装置１０は、携帯端末装置２０上の各入力キーと、車載装置１０上の各種スイッチとの対応付けを行う（同図の（２）参照）。具体的には、上記した各「仮想スイッチ」と携帯端末装置２０上の各入力キーとを対応付けるとともに、上記した各「ハードスイッチ」と携帯端末装置２０上の各入力キーとを対応付ける。
【００２２】
つづいて、車載装置１０は、携帯端末装置２０を遠隔操作するための操作画面１０ａを生成する。ここで、同図には、いわゆるテンキーを摸した操作画面１０ａを一例として示しているが、十字キーを模した操作画面など、複数種類の操作画面を生成するものとする。なお、本実施例では、車載装置１０が、携帯端末装置２０を遠隔操作するための操作画面を生成する場合について説明するが、携帯端末装置２０が、かかる操作画面を生成することとしてもよい。
【００２３】
ところで、携帯端末装置２０上で動作するナビアプリなどのアプリケーションプログラムは、車載装置１０と連携すると、本来なら自装置（携帯端末装置２０）のディスプレイに表示する表示画面２０ａを、適宜、車載装置１０へ送信する（同図の（１ｂ）参照）。
【００２４】
車載装置１０は、携帯端末装置２０から受け取った表示画面２０ａと、操作画面１０ａとを重畳表示する（同図の（３）参照）。ここで、操作画面１０ａは、半透明となる画像処理が施されており、表示画面２０ａ上に重畳表示された場合であっても、表示画面２０ａの視認性を妨げない。また、タッチパネルディスプレイに対して所定の操作が行われた場合にのみ、操作画面１０ａを重畳表示することもできる。
【００２５】
このように、車載装置１０は、表示画面２０ａと操作画面１０ａとを重畳表示することで、携帯端末装置２０の遠隔操作を行う。ここで、車載装置１０は、車載装置１０に対して行われた入力操作について、操作内容を加工したうえで携帯端末装置２０の遠隔操作を行うことも可能である（同図の（４）参照）。
【００２６】
たとえば、ナビアプリによる地図画面などを斜め方向にスクロールさせたい場合、携帯端末装置２０上には、斜め方向の移動を指示する入力キーが設けられていないことも多い。このような場合に、車載装置１０は、操作画面１０ａに対する操作内容を、携帯端末装置２０上に実際に存在する入力キーの組み合わせへ変換し、疑似斜め移動操作を実現する。
【００２７】
すなわち、本実施例に係る遠隔操作システム１によれば、車載装置１０経由で携帯端末装置２０を遠隔操作する場合の操作性を、携帯端末装置２０を直接操作する場合の操作性よりも向上させることができる。なお、上記した疑似斜め移動操作については、図６等を用いて後述することとする。
【００２８】
このように、本実施例に係る遠隔操作システム１では、携帯端末装置２０ごとに異なる入力キー配列に対応しつつ、携帯端末装置２０を遠隔操作する操作画面１０ａをアプリの表示画面２０ａと重畳表示するので、タッチパネルディスプレイの表示エリアを有効活用することができる。
【００２９】
また、タッチパネルディスプレイ上の「仮想スイッチ」のみならず、車載装置１０上の「ハードスイッチ」を、携帯端末装置２０上の入力キーと対応付けるので、タッチパネルディスプレイ上に「仮想スイッチ」を表示することなく、「ハードスイッチ」に対する操作によって携帯端末装置２０を遠隔操作することもできる。これにより、タッチパネルディスプレイの表示エリアをより有効に活用することができる。
【００３０】
さらに、車載装置１０は、「仮想スイッチ」あるいは「ハードスイッチ」に対する操作内容を、携帯端末装置２０上の入力キーの組み合わせへ変換する処理を併せて行うので、遠隔操作の操作性を向上させることができる。
【００３１】
なお、携帯端末装置１０における入力キーの種類や配列は、通信事業者ごと、あるいは、製造メーカごとに異なるが、上記した入力キー配列情報を用いることで、かかる差異を吸収することができる。
【００３２】
図２は、遠隔操作システム１に含まれる各装置の構成を示すブロック図である。同図に示すように、遠隔操作システム１は、車載装置１０と、携帯端末装置２０とを含んでいる。ここで、同図では、１台の携帯端末装置２０のみを示しているが、携帯端末装置２０を複数台とすることとしてもよい。
【００３３】
まず、車載装置１０の構成について説明する。車載装置１０は、タッチパネルディスプレイ１１と、ハードスイッチ１２と、近距離通信部１３と、制御部１４と、記憶部１５とを備えている。また、制御部１４は、合成表示部１４ａと、変換部１４ｂと、対応付け部１４ｃと、出力信号送信部１４ｄと、配列情報取得部１４ｅとをさらに備えており、記憶部１５は、対応付け情報１５ａを記憶する。
【００３４】
タッチパネルディスプレイ１１は、各種画像を表示するためのディスプレイの表面に入力用のタッチパネルを付した入出力デバイスであり、ハードスイッチ１２は、タッチパネルディスプレイ１１の周辺に設けられたダイヤルやボタンといった入力デバイスである。
【００３５】
なお、ハードスイッチ１２や、ハードスイッチ１２の近辺には、各ハードスイッチ１２の役割を示す文字列が付されることが通常である。たとえば、ボリューム調整用のダイヤルには「ＶＯＬ」、音量を無音にするためのボタンには「ＭＵＴＥ」といった文字列が付される。
【００３６】
ここで、車載装置１０および携帯端末装置２０に設けられる操作スイッチについて図３を用いて説明しておく。図３は、車載装置１０および携帯端末装置２０の各種操作スイッチを示す図である。なお、同図の（Ａ）には、車載装置１０の各種操作スイッチについて、同図の（Ｂ）には、携帯端末装置２０の各種操作スイッチについて、それぞれ示している。
【００３７】
図３の（Ａ）に示すように、車載装置１０の前面３１には、タッチパネルディスプレイ３１ａ（図２のタッチパネルディスプレイ１１に対応）が配置されている。また、タッチパネルディスプレイ３１ａの周辺には、ハードスイッチ３１ｂ（図２のハードスイッチ１２に対応）が配置されている。
【００３８】
ハードスイッチ３１ｂには、ダイヤルやボタン等の種類があり、同図に示した場合には、タッチパネルディスプレイ３１ａの左側には、ダイヤルＬ１、ボタンＬ２、ボタンＬ３、ボタンＬ４およびボタンＬ５が、同じく右側には、ダイヤルＲ１、ボタンＲ２、ボタンＲ３、ボタンＲ４およびボタンＲ５が、それぞれ配置されている。
【００３９】
また、同図の（Ｂ）に示すように、携帯端末装置２０の操作面３２には、上下左右方向への移動指示などを行う十字キー３２ａと、テンキー３２ｂとが配置されている。また、操作面の左側面には、側面キー３２ｃが、同じく右側面には、側面キー３２ｄおよび側面キー３２ｅが、それぞれ配置されている。
【００４０】
なお、携帯端末装置２０は、ディスプレイ３２ｆを備えているが、車載装置１０との連携中には、アプリによる出力画面の表示はなされず、表示休止状態となるか、「連携中」といった車載装置１０と連携中である旨の表示がなされる。
【００４１】
ここで、十字キー３２ａやテンキー３２ｂに含まれる入力キーの配置や種類、各種側面キーの有無等は、携帯端末装置２０の機種ごとに異なることが通常である。なお、テンキー３２ｂに含まれる「０」〜「９」までの数字キー、「＊」キー、「♯」キーのように、配置や種類がすべての携帯端末装置２０間で共通して用いられる「共通操作キー」も存在する。以下では、かかる「共通操作キー」以外の入力キーについては、「非共通操作キー」と記載する。
【００４２】
図２に戻り、車載装置１０の構成についての説明をつづける。近距離通信部１３は、ブルートゥース（登録商標）などの近距離無線通信を用いて携帯端末装置２０との通信リンクを確立するとともに、確立した通信リンクを用いて車載装置１０／携帯端末装置２０間の通信処理を行う。ここで、ブルートゥース（Bluetooth：登録商標）とは、２．４ＧＨｚの周波数帯を用いて半径数１０ｍ程度の無線通信を行う近距離無線通信規格であり、近年では、携帯電話やパーソナルコンピュータなどの電子機器に広く適用されている。
【００４３】
なお、本実施例では、ブルートゥース（登録商標）を用いて車載装置１０／携帯端末装置２０間の通信を行う場合について説明するが、Ｗｉ−Ｆｉ（ワイファイ：登録商標）、ＺｉｇＢｅｅ（ジグビー：登録商標）といった他の無線通信規格を用いることとしてもよい。また、車載装置１０／携帯端末装置２０間の通信を有線通信で行うこととしてもよい。
【００４４】
制御部１４は、タッチパネルディスプレイ１１上に表示する仮想スイッチおよび車載装置１０の操作面などに設けられたハードスイッチ１２と、携帯端末装置２０上の各種入力キー（図３参照）との対応付けを行うとともに、タッチパネルディスプレイ１１が受け付けた入力を携帯端末装置２０上の入力キーが操作された場合の出力信号に変換して送信する処理を行う処理部である。
【００４５】
合成表示部１４ａは、携帯端末装置２０から近距離通信部１３経由で受け取ったアプリ画面と、対応付け情報１５ａに含まれる操作画面とを合成し、タッチパネルディスプレイ１１へ出力する処理を行う処理部である。
【００４６】
たとえば、合成表示部１４ａは、タッチパネルディスプレイ１１やハードスイッチ１２が所定の入力を受け付けた場合に、半透明の画像処理を施された操作画面をアプリ画面上に重畳して表示する。なお、かかる重畳表示の例については、図８を用いて後述することとする。
【００４７】
変換部１４ｂは、対応付け情報１５ａに基づき、タッチパネルディスプレイ１１上で操作された仮想スイッチあるいは車載装置１０上で操作されたハードスイッチ１２を、かかる仮想スイッチあるいはハードスイッチ１２と対応付けられた入力キー（携帯端末装置２０上の入力キー）に対応する出力信号へ変換する処理を行う処理部である。
【００４８】
なお、変換部１４ｂは、変換後の出力信号を出力信号送信部１４ｄへ渡す処理を併せて行う。また、変換部１４ｂは、上記した疑似斜め移動操作処理を行うが、この点については、図６等を用いて後述することとする。
【００４９】
対応付け部１４ｃは、配列情報取得部１４ｅが携帯端末装置２０から受け取った配列情報２３ａに基づき、タッチパネルディスプレイ１１上に表示する仮想スイッチと、携帯端末装置２０上の各種入力キー（図３参照）との対応付けを行うとともに、各ハードスイッチ１２と、携帯端末装置２０上の各種入力キーとの対応付けを行う処理部である。なお、対応付け部１４ｃは、対応付け結果を対応付け情報１５ａとして記憶部１５へ記憶させる処理を併せて行う。
【００５０】
ここで、対応付け部１４ｃが行う対応付け処理について、図４および図５を用いて説明しておく。図４は、携帯端末装置２０上の各入力キーと車載装置１０上のハードスイッチ１２との対応付け例を示す図である。なお、同図の（Ａ）には、対応付けの一例を、同図の（Ｂ）には、対応付けの変更例を、それぞれ示している。
【００５１】
図４の（Ａ）に示すように、たとえば、利用者が、対応付けを確認する場合には、タッチパネルディスプレイ１１には、標準の対応付け画面４１が表示される。ここで、表示エリア４１ａには、タッチパネルディスプレイ１１の左方に配置されるハードスイッチ１２（図３の（Ａ）におけるＬ１〜Ｌ５参照）を模した画像が表示され、表示エリア４１ｃには、タッチパネルディスプレイ１１の右方に配置されるハードスイッチ１２（図３の（Ａ）におけるＲ１〜Ｒ５参照）を模した画像が表示される。
【００５２】
このように、表示エリア４１ａや表示エリア４１ｃにハードスイッチ１２を模した画像を表示することで、ハードスイッチ１２に付された文字列が、携帯端末装置２０の各入力キーに付された文字列と異なる場合であっても、対応付け関係を、利用者に対してわかりやすく提示することができる。
【００５３】
また、表示エリア４１ｂには、携帯端末装置２０から受信した配列情報２３ａに基づく入力キー配列画像（図３の（Ｂ）参照）が表示される。そして、表示エリア４１ａおよび表示エリア４１ｃのハードスイッチ１２が、携帯端末装置２０のどの入力キーと対応するかを示す矢印などが併せて表示される。
【００５４】
ここで、同図の（Ｂ）に示したように、利用者が、対応付けを変更することも可能である（同図の４２参照）。たとえば、同図の（Ａ）に示した場合には、表示エリア４１ａのダイヤルＬ１（図３参照）が、携帯端末装置２０の通話キーおよび通話終了キーに対応付けられていたが、同図の（Ｂ）では、十字キーにおける左向き移動キーおよび右向き移動キーへの対応付けに変更されている。
【００５５】
このように、車載装置１０のハードスイッチ１２と、携帯端末装置２０の入力キーとの対応付けを行うことで、ハードスイッチ１２を操作することによる携帯端末装置２０の遠隔操作が可能となる。なお、図４に示した対応付け画面４１および４２は、利用者が対応付けを確認したい場合にのみ表示させることができるので、アプリ画面の視認性を妨げることはない。
【００５６】
図５は、携帯端末装置２０上の十字キーとタッチパネルディスプレイ１１上の仮想スイッチとの対応付け例を示す図である。なお、同図の（Ａ）〜（Ｃ）には、対応付けのバリエーションを示している。
【００５７】
図５の（Ａ）には、タッチパネルディスプレイ１１の表示エリアを対角線で４つの部分エリアに区切り、部分エリア５１ａには上向き移動キーを、部分エリア５１ｂには下向き移動キーを、部分エリア５１ｃには左向き移動キーを、部分エリア５１ｄには右向き移動キーを、それぞれ対応付けた操作画面５１を示している。なお、操作画面５１をタッチパネルディスプレイ１１へ表示する場合には、対角線を示す線のみを表示することとしてもよい。
【００５８】
図５の（Ｂ）には、図５の（Ａ）に対してさらに携帯端末装置２０上の十字キーにおける確定キーを割り当てた場合の操作画面５２を示している。同図に示したように、部分エリア５２ａには上向き移動キーが、部分エリア５２ｂには下向き移動キーが、部分エリア５２ｃには左向き移動キーが、部分エリア５２ｄには右向き移動キーが、部分エリア５２ｅには確定キーが、それぞれ対応付けられている。
【００５９】
図５の（Ｃ）には、図５の（Ｂ）とは異なる部分領域に、各移動キーおよび確定キーをそれぞれ割り当てた場合の操作画面５３を示している。同図に示したように、部分エリア５３ａには上向き移動キーが、部分エリア５３ｂには下向き移動キーが、部分エリア５３ｃには左向き移動キーが、部分エリア５３ｄには右向き移動キーが、部分エリア５３ｅには確定キーが、それぞれ対応付けられている。
【００６０】
なお、図５の（Ｂ）に示した操作画面５２および図５の（Ｃ）に示した操作画面５３についても、タッチパネルディスプレイ１１へ表示する場合には、図５の（Ａ）に示した操作画面５１と同様に、各部分エリアを区切る線のみを表示することとしてもよい。
【００６１】
図２の説明に戻り、出力信号送信部１４ｄについて説明する。出力信号送信部１４ｄは、変換部１４ｂから受け取った変換後の出力信号（携帯端末装置２０上の入力キーが操作された場合の出力信号）を、近距離通信部１３経由で携帯端末装置２０へ送信する処理を行う処理部である。また、配列情報取得部１４ｅは、近距離通信部１３経由で携帯端末装置２０から受け取った配列情報２３ａを対応付け部１４ｃへ渡す処理を行う処理部である。
【００６２】
なお、本実施例では、車載装置１０の出力信号送信部１４ｄが、携帯端末装置２０上の入力キーが操作された場合の出力信号を携帯端末装置２０へ送信する場合について説明するが、操作された入力キーを示す操作情報のみを携帯端末装置２０へ送信することとしてもよい。この場合、携帯端末装置２０の遠隔入力処理部２２ａが、車載装置１０から受け取った操作情報を入力キーに対応する出力信号へ変換することになる。
【００６３】
記憶部１５は、不揮発性メモリやハードディスクドライブといった記憶デバイスで構成される記憶部であり、対応付け情報１５ａを記憶する。対応付け情報１５ａは、タッチパネルディスプレイ１１に表示される仮想スイッチと携帯端末装置２０上の各種入力キー（図３参照）との対応付け、およびハードスイッチ１２と携帯端末装置２０上の各種入力キー（図３参照）との対応付けを含んだ情報である。
【００６４】
次に、携帯端末装置２０の構成について説明する。図２に示したように、携帯端末装置２０は、近距離通信部２１と、制御部２２と、記憶部２３とを備えている。また、制御部２２は、遠隔入力処理部２２ａおよび通知部２２ｂをさらに備えており、記憶部２３は、配列情報２３ａを記憶する。
【００６５】
近距離通信部２１は、車載装置１０の近距離通信部１３と同様に、ブルートゥース（登録商標）などの近距離無線通信を用いて車載装置１０との通信リンクを確立するとともに、確立した通信リンクを用いて携帯端末装置２０／車載装置１０間の通信処理を行う。
【００６６】
制御部２２は、携帯端末装置２０の入力キー配列および各入力キーが操作された場合の出力信号を含んだ配列情報２３ａを車載装置１０へ送信する処理を行うとともに、車載装置１０から受信した遠隔操作コマンド（入力キーに対応する出力信号または出力信号列）を各アプリへ振り分ける処理を行う処理部である。
【００６７】
遠隔入力処理部２２ａは、近距離通信部２１経由で車載装置１０から受け取った遠隔操作コマンド（入力キーに対応する出力信号または出力信号列）を、アプリに対する入力信号として各アプリへ振り分ける処理を行う処理部である。このようにすることで、各アプリは、携帯端末装置２０の入力キーが直接操作された場合と同様に動作することができる。
【００６８】
通知部２２ｂは、記憶部２３の配列情報２３ａを近距離通信部２１経由で車載装置１０へ送信する処理を行う処理部である。記憶部２３は、不揮発性メモリなどの記憶デバイスで構成される記憶部であり、配列情報２３ａを記憶する。
【００６９】
配列情報２３ａは、携帯端末装置２０の入力キー配列および各入力キーが操作された場合の出力信号を含んだ情報であり、たとえば、図４の（Ａ）あるいは（Ｂ）の表示エリア４１ｂに示した画像形式の入力キー配列を含むものとする。
【００７０】
なお、配列情報２３ａは、携帯端末装置２０の機種ごとに異なるが、たとえば、インターネット上のサーバ装置から自機種に係る配列情報２３ａをダウンロードすることとすればよい。また、携帯端末装置２０の製造時等に配列情報２３ａを記憶部２３へ記憶させておくこととしてもよい。
【００７１】
次に、車載装置１０の変換部１４ｂが実行する疑似斜め移動操作処理について図６を用いて説明する。図６は、仮想スイッチを用いた疑似斜め移動操作処理の概要を示す図である。なお、同図に示す操作画面６１は、図５に示した各操作画面と同様に、タッチパネルディスプレイ１１上に表示される。
【００７２】
図６に示すように、疑似斜め操作を実現する場合、タッチパネルディスプレイ１１の表示領域を、たとえば、Ｎ個×Ｍ個の方眼状に区切る。ここで、斜線を付した区画は、表示領域についての中心区画６１ａである。ここで、中心区画６１ａから１つ上の区画へ移動させるコマンドを「Ｕ」、１つ下の区画へ移動させるコマンドを「Ｄ」、１つ左の区画へ移動させるコマンドを「Ｌ」、１つ右の区画へ移動させるコマンドを「Ｒ」とする。
【００７３】
変換部１４ｂは、利用者によって操作された区画が中心区画６１ａからどれだけずれているかに応じて上記したコマンドの列を生成する。たとえば、同図に示す区画６１ｂがタッチされた場合、区画６１ｂは、中心区画６１ａよりも右に２区画、上に２区画ずれている。この場合、変換部１４ｂは、コマンドＲおよびコマンドＵを２個ずつ生成する。
【００７４】
このようにすることで、携帯端末装置２０には斜め移動用の入力キーがない場合であっても、上下左右移動キーの組み合わせで疑似斜め操作を実現することができる。
【００７５】
また、変換部１４ｂは、各コマンドを組み合わせてコマンド列を生成する際に、同一のコマンドが連続する回数が最小となるように、コマンドの順序を調整する。たとえば、区画６１ｂが操作された場合には、各コマンドの順序を、コマンドＲ、コマンドＵ、コマンドＲ、コマンドＵの順序、もしくは、コマンドＵ、コマンドＲ、コマンドＵ、コマンドＲの順序とする。
【００７６】
このようにすることで、上下左右方向への各移動コマンドの組み合わせであっても、斜め方向の画面スクロールをスムーズに行うことができる。なお、同図に示した区画６１ｃが操作された場合には、変換部１４ｂは、コマンドＬ、コマンドＵ、コマンドＬの順序のコマンド列を出力することになる。
【００７７】
ところで、これまでは、タッチパネルディスプレイ１１へ携帯端末装置２０の十字キーに対応する操作画面を表示する場合について説明してきたが（たとえば、図５参照）、テンキーなどの他の入力キーに対応する操作画面を表示させることもできる。図７は、携帯端末装置２０上のテンキーとタッチパネルディスプレイ１１上の仮想スイッチとの対応付け例を示す図である。
【００７８】
図７の（Ａ）には、「０」〜「９」までの数字キー、「＊」キーおよび「♯」キーにそれぞれ対応する仮想スイッチを含んだ操作画面７１を示している。なお、操作画面７１をタッチパネルディスプレイ１１へ表示する場合には、各仮想スイッチの区切りを示す線のみを表示することとしてもよい。
【００７９】
図７の（Ｂ）には、図７の（Ａ）に示した各キーに加え、「進む」キー、「戻る」キーといった非共通操作キーに対応する仮想スイッチを含んだ操作画面７２を示している。なお、操作画面７２に含ませるキーの種類や配置については、図４に示した場合と同様に、利用者がカスタマイズすることができる。
【００８０】
たとえば、図７の（Ｃ）に示した操作画面７３のように、「ＯＮ」キーや、「ＯＦＦ」キーといった非共通操作キーを含ませたり、上矢印操作キーなどの移動キーの配置を、図７の（Ｂ）に示した操作画面７２とは異なるものとしたり、することができる。
【００８１】
なお、図７の（Ｂ）に示した操作画面７２および図７の（Ｃ）に示した操作画面７３についても、タッチパネルディスプレイ１１へ表示する場合には、図７の（Ａ）に示した操作画面７１と同様に、各仮想スイッチの区切りを示す線のみを表示することとしてもよい。
【００８２】
次に、車載装置１０の合成表示部１４ａによって行われる画面合成処理について図８を用いて説明する。図８は、アプリ画面と操作画面との重畳例を示す図である。なお、同図では、図５の（Ｃ）に示した操作画面５３を、アプリ画面８１と重畳表示する場合について示している。
【００８３】
図８の（Ａ）に示したように、合成表示部１４ａは、携帯端末装置２０から受け取ったアプリ画面８１に、操作画面５３を合成する処理を行う。ここで、操作画面５３には、半透明となる画像処理が施されており、操作画面５３が重畳表示された場合であっても、アプリ画面８１を視認することができる。また、タッチパネルディスプレイ１１やハードスイッチ１２に対して所定の操作がなされた場合にのみ、操作画面５３を表示することとしてもよい。
【００８４】
また、図８の（Ｂ）に示したように、アプリ画面８１における所定の部分エリア８１ａについて、操作画面５３を重畳表示することとしてもよい。なお、図８では、図５の（Ｃ）に示した操作画面５３をアプリ画面８１と重畳する場合について示したが、図５に示した操作画面５１あるいは操作画面５２、図６に示した操作画面６１、図７に示した操作画面７１、操作画面７２あるいは操作画面７３などの操作画面を、アプリ画面８１と重畳表示させることとしてもよい。また、複数の操作画面をアプリ画面８１と重畳させることとしてもよい。
【００８５】
次に、車載装置１０が携帯端末装置２０を遠隔操作する場合における初期処理の処理手順について図９を用いて説明する。図９は、遠隔操作初期処理の処理手順を示すフローチャートである。同図に示すように、近距離通信部１３は、携帯端末装置２０との連携開始処理を行い（ステップＳ１０１）、連携が完了したか否かを判定する（ステップＳ１０２）。
【００８６】
そして、連携が完了した場合には（ステップＳ１０２，Ｙｅｓ）、配列情報取得部１４ｅは、携帯端末装置２０から配列情報２３ａを受信する（ステップＳ１０３）。なお、ステップＳ１０２の判定条件を満たさなかった場合には（ステップＳ１０２，Ｎｏ）、ステップＳ１０２の処理を繰り返す。
【００８７】
つづいて、対応付け部１４ｃは、車載装置１０側ハードスイッチ１２との対応付けを行う旨の設定（対応付けＯＮ）がなされているか否かを判定し（ステップＳ１０４）、対応付けＯＮである場合には（ステップＳ１０４，Ｙｅｓ）、車載装置１０側ハードスイッチ１２と携帯端末装置２０側入力キーとの対応付け処理を行う（ステップＳ１０５）。
【００８８】
そして、タッチパネルディスプレイ１１と携帯端末装置２０側入力キーとの対応付け処理を行い（ステップＳ１０６）、処理を終了する。なお、ステップＳ１０４の判定条件を満たさなかった場合には（ステップＳ１０４，Ｎｏ）、ステップＳ１０５の処理を行うことなくステップＳ１０６の処理を行い、処理を終了する。
【００８９】
次に、車載装置１０の変換部１４ｂが行う疑似斜め操作処理の処理手順について図１０を用いて説明する。図１０は、疑似斜め移動操作処理の処理手順を示すフローチャートである。なお、図１０では、図６に示した操作画面６１が利用者によって操作される場合の処理手順について示している。
【００９０】
図１０に示すように、変換部１４ｂは、利用者によってタッチされた区画を取得し（ステップＳ２０１）、水平方向移動コマンドおよび垂直方向移動コマンドへ変換する（ステップＳ２０２）。つづいて、コマンドの並べ替え処理を実行し（ステップＳ２０３）、同一コマンドの連続回数が最小であるか否かを判定する（ステップＳ２０４）。
【００９１】
そして、同一コマンドの連続回数が最小である場合には（ステップＳ２０４，Ｙｅｓ）、並べ替え後のコマンド列を携帯端末装置２０へ送信し（ステップＳ２０５）、処理を終了する。なお、ステップＳ２０４の判定条件を満たさなかった場合には（ステップＳ２０４，Ｎｏ）、ステップＳ２０３に戻り、再度、コマンドの並べ替えを行ったうえで、ステップＳ２０４の処理を繰り返す。
【００９２】
上述してきたように、本実施例では、配列情報取得部が、携帯端末装置における入力キーの配列情報を取得し、画像の表示および利用者による入力を受け付けるタッチパネルディスプレイについて、対応付け部が、配列情報に含まれる各入力キーとタッチパネルディスプレイ上の所定の領域との対応付けを行い、合成表示部が、携帯端末装置によって生成された表示画面と対応付け部によってタッチパネルディスプレイ上の所定の領域と対応付けられた各入力キーの配置画面とを重畳してタッチパネルディスプレイへ表示させ、変換部が、配列情報に基づいてタッチパネルディスプレイに対する入力を入力キーが押下された場合の出力信号または出力信号の組み合わせへ変換し、出力信号送信部が、変換された出力信号を携帯端末装置へ送信するように車載装置を構成した。
【００９３】
また、通知部が、配列情報を車載装置へ通知し、遠隔入力処理部が、車載装置から受け取ったコマンドあるいはコマンド列を、疑似入力コマンドとして受け付けるように携帯端末装置を構成した。
【００９４】
したがって、操作対象装置に係る表示画面および操作画面を適宜重畳させて表示するとともに、操作画面に対する入力を複数の入力キーが押下された場合の出力信号の組み合わせへも変換することで、車載装置の表示エリアを有効活用することができるとともに、操作対象装置を直接操作する場合よりも操作性を向上させることができる。
【産業上の利用可能性】
【００９５】
以上のように、本発明に係る車載装置および遠隔操作システムは、車載装置から携帯端末装置を遠隔操作したい場合に有用であり、特に、遠隔操作の操作性を向上させたい場合に適している。
【図面の簡単な説明】
【００９６】
【図１】本実施例に係る遠隔操作システムの概要を示す図である。
【図２】遠隔操作システムに含まれる各装置の構成を示すブロック図である。
【図３】車載装置および携帯端末装置の各種操作スイッチを示す図である。
【図４】携帯端末装置上の各入力キーと車載装置上のハードスイッチとの対応付け例を示す図である。
【図５】携帯端末装置上の十字キーとタッチパネルディスプレイ上の仮想スイッチとの対応付け例を示す図である。
【図６】仮想スイッチを用いた疑似斜め移動操作処理の概要を示す図である。
【図７】携帯端末装置のテンキーとタッチパネルディスプレイ上の仮想スイッチとの対応付け例を示す図である。
【図８】アプリ画面と操作画面との重畳例を示す図である。
【図９】遠隔操作初期処理の処理手順を示すフローチャートである。
【図１０】疑似斜め移動操作処理の処理手順を示すフローチャートである。
【符号の説明】
【００９７】
１    遠隔操作システム
１０    車載装置（ＤＡ：Display  Audio）
１１    タッチパネルディスプレイ
１２    ハードスイッチ
１３    近距離通信部
１４    制御部
１４ａ  合成表示部
１４ｂ  変換部
１４ｃ  対応付け部
１４ｄ  出力信号送信部
１４ｅ  配列情報取得部
１５    記憶部
１５ａ  対応付け情報
２０    携帯端末装置
２１    近距離通信部
２２    制御部
２２ａ  遠隔入力処理部
２２ｂ  通知部
２３    記憶部
２３ａ  配列情報
【図１】
2010130369.tif 000003
【図２】
2010130369.tif 000004
【図３】
2010130369.tif 000005
【図４】
2010130369.tif 000006
【図５】
2010130369.tif 000007
【図６】
2010130369.tif 000008
【図７】
2010130369.tif 000009
【図８】
2010130369.tif 000010
【図９】
2010130369.tif 000011
【図１０】
2010130369.tif 000012